(57)【特許請求の範囲】
【請求項１】
縦長物品の長手方向の両端部のそれぞれを規制する面状部材を両側に起立させた床面を備えて上下動する上下移動床を有し、面状部材は、上下移動床に備えられた物品搬送方向に向けて水平に対して下り勾配を有する傾斜突起の両側に起立され、
上下移動床の物品搬送方向に沿う上流に、縦長物品の長手方向が物品搬送方向と直角方向になるよう物品の方向を揃えると共に、物品の位置を物品搬送方向と直角方向において位置規制する固定物品投入部を有し、
上下移動床の物品搬送方向に沿う下流に、排出シュートを有し、
排出シュートは、縦長物品をその長手方向における一方側を先行させて排出する物品整列搬送装置。
【請求項２】
前記傾斜突起が、物品搬送方向に沿う上流側の三角部が大きく、下流側の三角部が小さい、上に凸の三角柱状をなす請求項１に記載の物品整列搬送装置。
【請求項３】
前記上下移動床として、両側の面状部材を物品搬送方向視で垂直壁状面状部材とし、かつ縦長物品を物品搬送方向に沿う下流に移動させる傾斜面を床面に備えるものを用いる請求項１又は２に記載の物品整列搬送装置。
【請求項４】
前記固定物品投入部が縦長物品の中央寄せ部材を備える請求項１〜３のいずれかに記載の物品整列搬送装置。
【請求項５】
前記排出シュートが縦長物品の搬送方向と直交する方向における位置を制限することで方向を揃える方向規制部材を備える請求項１〜４のいずれかに記載の物品整列搬送装置。
【請求項６】
複数の中央寄せ部材を備える固定物品投入部と、複数の面状部材を備える上下移動床と、複数の方向規制部材を備える排出シュートとを有する請求項５に記載の物品整列搬送装置。
【請求項７】
前記固定物品投入部の上流に物品供給装置が配置され、
物品供給装置は、複数の固定床の各個を搬送方向に沿って並置し、複数の移動床の各個を各固定床に対し搬送方向の側傍に隣接配置するとともに、各移動床を同時にそれらの床面が隣接する固定床の床面に対する上位と下位に位置付ける昇降動作を繰り返すことで物品を下流に供給する請求項１〜６のいずれかに記載の物品整列搬送装置。
【請求項８】
前記排出シュートの下流に、縦長物品を起立させる方向変更板を有する請求項１〜７のいずれかに記載の物品整列搬送装置。
【請求項９】
前記排出シュートの下流に、縦長物品を反転させて起立させるフックを有する請求項１〜７のいずれかに記載の物品整列搬送装置。
【請求項１０】
前記縦長物品の断面積がその長手方向に沿って変化する請求項１〜９のいずれかに記載の物品整列搬送装置。
【請求項１１】
前記縦長物品がボトル又はキャップである請求項１〜１０のいずれかに記載の物品整列搬送装置。
【発明の詳細な説明】
【技術分野】
【０００１】
本発明は物品整列搬送装置に関する。
【背景技術】
【０００２】
物品整列搬送装置として、振動式パーツフィーダー（特許文献１）や回転式パーツフィーダー（特許文献２）やベルト起立式ボトル整列装置（特許文献３）がある。
【０００３】
特許文献１に記載の物品整列搬送装置は、複数の棒状物品を上側開口部より受け入れる短筒状の本体部、及びこの本体部の下側開口部を開閉するためのゲートを有する充填ホッパと、この充填ホッパ内に供給されたそれぞれの棒状物品が互いに隣合う状態で起立するように上記充填ホッパを振動させる駆動部と、を備える充填装置において、上記充填ホッパ内に供給されて一方の端部が上記ゲートの上面に当接する棒状物品を、この棒状物品の中心軸線が鉛直方向に対して45°以下の角度をなす範囲内で起立させた状態で保持する仕切り部材を上記本体部内に設けたものである。棒状物品の長さや充填量に拘わらず、充填ホッパ内に棒状物品を互いに隣合う状態で綺麗に起立させることができ、この整列させた状態で容器等に充填できる。
【０００４】
特許文献２に記載の物品整列搬送装置は、物品を受け入れ可能なターンテーブルと、前記ターンテーブルに置かれた前記物品の姿勢を検知できる位置に配備したセンサと、前記センサの出力より前記物品の表裏姿勢を判定し表裏姿勢に応じて前記ターンテーブルを予め設定した停止位置に回転させる制御部と、前記物品を移動させる押し出し部と、前記押し出し部により移動された前記物品を掛止する受部材とを有するものである。
【０００５】
請求項１の発明は、縦長物品の長手方向の両端部のそれぞれを規制する面状部材を両側に起立させた床面を備えて上下動する上下移動床を有し、面状部材は、上下移動床に備えられた物品搬送方向に向けて水平に対して下り勾配を有する傾斜突起の両側に起立され、上下移動床の物品搬送方向に沿う上流に、縦長物品の長手方向が物品搬送方向と直角方向になるよう物品の方向を揃えると共に、物品の位置を物品搬送方向と直角方向において位置規制する固定物品投入部を有し、上下移動床の物品搬送方向に沿う下流に、排出シュートを有し、排出シュートは、縦長物品をその長手方向における一方側を先行させて排出するようにしたものである。
【発明の開示】
【発明が解決しようとする課題】
【０００６】
特許文献１、２に記載の如くの従来の物品整列搬送装置では、物品の重心側が下側になるように起立させて整列させるものが大部分である。しかしながら、物品が縦長形状の場合には、確率的に物品が起立するものは数少なくなるため整列成功率も低下し、その結果、処理能力が低下してしまうことがある。また、物品の重心側の面が、尖っていたり、丸みを帯びていたりすると、重心側の面を下側とすること自体に困難があり、整列不可能になることがある。また、振動式や回転式のパーツフィーダーは取扱い物品に対して装置サイズが大きくなる傾向がある。従って、広い設置スペースが必要で、しかも取扱い物品が変更になった際の型替えでは、その交換部品も大きくなり、作業者の負担が大きい。
【０００７】
特許文献３に記載の物品整列搬送装置は、比較的コンパクトで整列成功率は高いものの、ボトルがベルトで挟まりながら起立されるため、その際の摩擦によってボトル表面にキズが発生したり、フィルム巻きボトルの場合にはそのフィルムにシワが発生したりすることがある。また、ボトルの底面と上部の径が大きく異なるものでは、起立時にボトルがベルトから外れ、搬送力が失われてしまう。
【０００８】
本発明の課題は、単純でコンパクトな物品整列搬送装置により、縦長物品を所望の方向に整列させることにある。
【課題を解決するための手段】
【０００９】
請求項１の発明は、縦長物品の長手方向の両端部のそれぞれを規制する面状部材を両側に起立させた床面を備えて上下動する上下移動床を有し、上下移動床の物品搬送方向に沿う上流に、縦長物品の長手方向を物品搬送方向と直角方向になるよう物品の方向を規制する固定物品投入部を有し、上下移動床の物品搬送方向に沿う下流に、排出シュートを有し、排出シュートは、縦長物品をその長手方向における一方側を先行させて排出するようにしたものである。
【００１０】
請求項２の発明は、請求項１の発明において更に、前記上下移動床として、両側の面状部材を物品搬送方向視で垂直壁状面状部材とし、かつ縦長物品を物品搬送方向に沿う下流に移動させる傾斜面を床面に備えるものを用いるようにしたものである。
【００１１】
請求項３の発明は、請求項１又は２の発明において更に、前記固定物品投入部が縦長物品の中央寄せ部材を備えるようにしたものである。
【００１２】
請求項４の発明は、請求項１〜３のいずれかの発明において更に、前記排出シュートが縦長物品の位置を制限することで方向を揃える方向規制部材を備えるようにしたものである。
【００１３】
請求項５の発明は、請求項４の発明において更に、複数の中央寄せ部材を備える固定物品投入部と、複数の面状部材を備える上下移動床と、複数の方向規制部材を備える排出シュートとを有するようにしたものである。
【００１４】
請求項６の発明は、請求項１〜５のいずれかの発明において更に、前記固定物品投入部の上流に物品供給装置が配置され、物品供給装置は、複数の固定床の各個を搬送方向に沿って並置し、複数の移動床の各個を各固定床に対し搬送方向の側傍に隣接配置するとともに、各移動床を同時にそれらの床面が隣接する固定床の床面に対する上位と下位に位置付ける昇降動作を繰り返すことで物品を下流に供給するようにしたものである。
【００１５】
請求項７の発明は、請求項１〜６のいずれかの発明において更に、前記排出シュートの下流に、縦長物品を起立させる方向変更板を有するようにしたものである。
【００１６】
請求項８の発明は、請求項１〜６のいずれかの発明において更に、前記排出シュートの下流に、縦長物品を反転させて起立させるフックを有するようにしたものである。
【００１７】
請求項９の発明は、請求項１〜８のいずれかの発明において更に、前記縦長物品の断面積がその長手方向に沿って変化するようにしたものである。
【００１８】
請求項１０の発明は、請求項１〜９のいずれかの発明において更に、前記縦長物品がボトル又はキャップであるようにしたものである。
【発明の効果】
【００１９】
（請求項１）
(a)固定物品投入部により長手方向の位置を物品搬送方向と直角方向において規制された縦長物品が上下移動床の両側面状部材の間に投入されると、縦長物品は上下移動床の上昇の過程で長手方向の特定の一方側を先頭側にして排出シュートへ移送されて整列され、その整列姿勢で排出シュートから排出される。これにより、単純でコンパクトな物品整列搬送装置により、縦長物品を所望の方向に整列させることができる。
【００２０】
（請求項２）
(b)上下移動床として、両側の面状部材を物品搬送方向視で垂直壁状面状部材とし、かつ縦長物品を物品搬送方向に沿う下流に移動させる傾斜面を床面に備えるものである。更に、両側の面状部材に挟まれる床面上に設けられて縦長物品の長手方向の中央部を支持し、かつ該物品を物品搬送方向に沿う下流に移動させる傾斜突起を備えるもの、両側の面状部材を物品搬送方向視でＬ字断面状面状部材とし、かつ縦長物品を物品搬送方向に沿う下流に移動させる傾斜面を該床面部材のＬ字断面の段差面に備えるもののいずれかを追加又は交換し、選択して用いることができる。
【００２１】
両側の面状部材を垂直壁状とし、かつ縦長物品を物品搬送方向に沿う下流に移動させる傾斜面を床面に備える上下移動床では、縦長物品が上下移動床の傾斜床面で先行して転がり易い側又は滑り易い側を先頭側にして排出シュートへ移送されて整列される。
【００２２】
両側の面状部材に挟まれる床面上に設けられる傾斜突起を備える上下移動床では、縦長物品が長手方向における軽量側を先頭側にして排出シュートへ移送されて整列される。
【００２３】
両側の面状部材をＬ字断面状とする上下移動床では、縦長物品が長手方向における太径側を先頭側にして排出シュートへ移送されて整列される。
【００２４】
（請求項３）
(c)固定物品投入部が縦長物品の中央寄せ部材を備えることにより、確実に、縦長物品の長手方向を物品搬送方向と直角方向に位置規制できる。
【００２５】
（請求項４）
(d)排出シュートが縦長物品の位置を規制することで方向を揃える規制部材を備えることにより、確実に、縦長物品の長手方向を物品搬送方向と並行方向に配列できる。
【００２６】
（請求項５）
(e)複数の中央寄せ部材を備える固定物品投入部と、複数の面状部材を備える上下移動床と、複数の方向規制部材を備える排出シュートとを有する。これにより、複数の縦長物品を並行して整列させることができる。
【００２７】
（請求項６）
(f)固定物品投入部の上流に配置される物品供給装置が、複数の固定床の各個を搬送方向に沿って並置し、複数の移動床の各個を各固定床に対し搬送方向の側傍に隣接配置するとともに、各移動床を同時にそれらの床面が隣接する固定床の床面に対する上位と下位に位置付ける昇降動作を繰り返すことで物品を下流に供給する。従って、縦長物品の寸法形状や搬入姿勢に関係なく、該物品を概ね一定量ずつ固定物品投入部に供給できる。
【００２８】
（請求項７）
(g)排出シュートから排出される縦長物品は、方向変更板に衝突して起立され、正立状態になる。
【００２９】
（請求項８）
(h)排出シュートから排出される縦長物品は、フックにより先頭側を引き掛け上げられて起立され、正立状態になる。
【００３０】
（請求項９）
(i)長手方向に沿って断面積が変化する縦長物品を整列対象物品とすることができる。
【００３１】
（請求項１０）
(j)ボトル又はキャップを整列対象物品とすることができる。
【発明を実施するための最良の形態】
【００３２】
物品整列搬送装置１００は、図１〜図４、図２１〜図２４、図４１〜図４４のそれぞれに示す如く、物品搬送方向の上流側から順に、固定物品投入部１０、上下移動床２０、排出シュート３０を有する。物品整列搬送装置１００は、縦長物品１の長手方向の両端部のそれぞれを位置規制する面状部材２２、２２を両側に起立させた床面２１を備えて上下動する上下移動床２０を有し、上下移動床２０の物品搬送方向に沿う上流に、縦長物品１の長手方向を物品搬送方向と直角方向になるよう物品の方向を揃えると共に、物品の位置を物品搬送方向と直角方向において位置規制する固定物品投入部１０を有し、上下移動床２０の物品搬送方向に沿う下流に、排出シュート３０を有し、排出シュート３０は、縦長物品１をその長手方向における一方側を先行させて排出する。
【００３３】
ここで、物品整列搬送装置１００にあっては、上下移動床２０として、図１〜図４に示した上下移動床２０Ａと、図２１〜図２４に示した上下移動床２０Ｂと、図４１〜図４４に示した上下移動床２０Ｃのそれぞれを予め用意し、それらのいずれかを選択して用いることができる。上下移動床２０Ａは、図５に示す如く、両側の面状部材２２を物品搬送方向視で垂直壁状面状部材２２とし、かつ縦長物品１を物品搬送方向に沿う下流に移動させる傾斜面を床面２１に備えるものである。上下移動床２０Ｂは、図２５に示す如く、両側の面状部材２２に挟まれる床面２１上に設けられて縦長物品１の長手方向の中央部を支持し、かつ該物品１を物品搬送方向に沿う下流に移動させる傾斜突起２３を備えるものである。上下移動床２０Ｃは、図４５に示す如く、両側の面状部材２２を物品搬送方向視でＬ字断面状面状部材２２とし、かつ縦長物品１を物品搬送方向に沿う下流に移動させる傾斜面を該面状部材２２のＬ字断面の段差面２２Ａに備えるものである。以下、上下移動床２０として上下移動床２０Ａ、２０Ｂ、２０Ｃのそれぞれを用いた物品整列搬送装置１００のそれぞれについて説明する。
【００３４】
（上下移動床２０として上下移動床２０Ａを用いた物品整列搬送装置１００）（図１〜図２０）
図１〜図４に示した物品整列搬送装置１００は、縦長物品１の長手方向の両端部のそれぞれを規制する垂直壁状面状部材２２を両側に起立させ、かつ縦長物品１を物品搬送方向下流に移動させる傾斜面２１Ａを形成した床面２１を備えて上下動する上下移動床２０を有し、上下移動床２０の物品搬送方向上流に、縦長物品１の長手方向が物品搬送方向と直角方向になるように物品の方向を揃えかつ物品搬送方向と直角方向における位置を規制、即ち、所定範囲内に制限する固定物品投入部１０を有し、上下移動床２０の物品搬送方向下流側に隣接して、縦長物品１の長手方向を物品搬送方向と並行方向に位置規制する排出シュート３０を有し、排出シュート３０は、縦長物品１をその長手方向における一方側を先行させて排出する。尚、本発明で物品の方向を揃えるとは、所定の方向になっている物品は向きを変えず、所定の方向になっていない物品のみ向きを変え、結果として全ての物品が所定の向きになるようにする操作をいう。
【００３５】
固定物品投入部１０は、縦長物品１の両端部のそれぞれを規制して縦長物品１の長手方向を物品搬送方向と直角方向に揃えかつ物品搬送方向と直角方向における位置を規制するための中央寄せ部材１２を、傾斜床面１１の両側に起立させて備える。床面１１は物品搬送方向に向かい水平に対する角度αの下り勾配をなし（図４）、αの好適値は5〜50度、より好適値は7〜30度である。中央寄せ部材１２は、例えば、物品搬送方向視で上端に頂部を有する三角形となる上に凸の三角柱状をなし、両側中央寄せ部材１２の三角柱の頂部間隔ａ1の好適値は縦長物品1の高さｈの1.1〜1.7倍であり、両側中央寄せ部材１２の三角柱の底部間隔ａ2の好適値は縦長物品１の高さｈの0.7〜1.0倍である（図３）。中央寄せ部材１２のその他の形状としては、単なる直方体や、物品１と接触する側が三角柱の如く傾斜した断面が台形状の四角柱などでも良いが、傾斜突起２３をうまく物品１に作用させ、物品１が所定の幅のなかに収まるようにするには、物品１と接触する側の面が傾斜しているほうが好ましい（不図示）。
【００３６】
上下移動床２０は、固定物品投入部１０から投入された縦長物品１の両端部のそれぞれを規制して物品１の長手方向を物品搬送方向と直角方向において位置規制する垂直壁状面状部材２２を床面２１の両側に起立させて備え、かつ縦長物品１を物品搬送方向に沿う下流に移動させる傾斜面２１Ａを床面２１に備えるとともに、エアシリンダ、又はサーボモータやステッピングモータのモータからなる上下駆動部２４を備える。上下駆動部２４は、床面２１を固定物品投入部１０の床面１１、排出シュート３０の床面３１より下位に位置付ける下降端（図１）と、床面２１を固定物品投入部１０の床面１１、排出シュート３０の床面３１より上位に位置付ける上昇端（図２）の間で、上下移動床２０を上下動する。上下移動床２０は、上昇の過程で後述する如く、縦長物品１の長手方向の特定の一方側を先頭側にして、該物品１を排出シュート３０へ移送する。床面２１の傾斜面２１Ａは物品搬送方向に向けて水平に対する角度βの下り勾配をなし（図４）、βの好適値は5〜40度、より好適値は7〜25度である。面状部材２２は物品搬送方向視で垂直壁状をなし、両側面状部材２２の垂直壁間隔ｂ1の好適値は物品１の高さｈの1.1〜1.7倍である（図３、図５）。上下移動床２０を挟む固定物品投入部１０と排出シュート３０の設置間隔ｂ4の好適値は物品１の最小幅ｗの1.05〜2.0倍であり、床面２１の斜面に沿う床幅ｂ3の好適値はｂ4の0.5〜0.95倍である（図３、図５）。
【００３７】
排出シュート３０は、単なる板状部材や、雨樋状部材などとしても良いが（不図示）、より物品１の搬送を安定させるには、上下移動床２０から移送された縦長物品１の両側部のそれぞれに作用して物品１の長手方向を物品搬送方向と並行方向に揃える、言い換えると物品の搬送方向と直交する方向における位置を制限することで方向と位置を整えるための方向規制部材３２を、傾斜床面３１の両側に起立させて備えると良い。床面３１は物品搬送方向に向かい水平に対する角度δの下り勾配をなし（図４）、δの好適値は5〜50度、より好適値は7〜30度である。方向規制部材３２は、図３に示す如く、上下移動床２０に臨む物品第１規制面３２Ａと、床面３１の両側で上向きに拡開する物品第２規制面３２Ｂを備え、上下移動床２０から移送される物品１の入側に物品第１規制面３２Ａと物品第２規制面３２Ｂの交線部３２Ｃを備える。方向規制部材３２は物品搬送方向に向かい水平に対する角度γをなし（図４）、γの好適値は−20〜30度、より好適値は−10〜20度である。勾配は物品搬送方向に向かい上り又は下り勾配となる。γのプラスの値は上り勾配であり、γのマイナスの値は下り勾配である。物品第１規制面３２Ａと物品第２規制面３２Ｂの互いの交線部３２Ｃは、曲面でつなぐか、緩い角度で交差するようにし、0度が最鋭角、180度が平行とすると、好適角度は120〜175度であり、これによって上下移動床２０から移送されてくる物品１の向きをスムースに物品搬送方向と並行する方向に変えることができる（図３）。両側方向規制部材３２の物品第２規制面３２Ｂの頂部間隔ｃ1の好適値は物品１の高さｈの0.5〜1.2倍であり、両側方向規制部材３２の物品第２規制面３２Ｂの底部間隔ｃ2の好適値は物品１の高さｈの0.7〜1.5倍である（図３）。但し、方向規制部材３２は単なる角棒材、丸棒材からなるものでも良い。
【００３８】
以下、上下移動床２０が上昇の過程で、縦長物品１の長手方向の特定の一方側を先頭側にして該物品１を上下移動床２０から排出シュート３０へ移送する作用について説明する。
【００３９】
図６（Ａ）に示す如く、縦長物品１がストレート状ボトル（高さ方向で横断面の変化が殆んどないボトル）であるとき、上下移動床２０の床面２１の傾斜面２１Ａを転がる物品１の中心軸は水平になり、物品１の特定の側が物品搬送方向に対して先頭側になって転がり出ることはない。図６（Ｂ）に示す如く、縦長物品１が底側縮径テーパ状ボトル（高さ方向で底側ほど横断面が小さくなるボトル）であるとき、上下移動床２０の床面２１を転がる物品１の中心軸は口側が上向きになり、物品１の口側が物品搬送方向に対して先頭側になって転がり出る。図６（Ｃ）に示す如く、縦長物品１が外側拡径テーパ状ボトル（高さ方向で底側ほど横断面が大きくなるボトル）であるとき、上下移動床２０の床面２１を転がる物品１の中心軸は底側が上向きになり、物品１の底側が物品搬送方向に対して先頭側になって転がり出る。
【００４０】
また、図７に示す如く、円錐形状の頂点側をカットした、高さ方向に対して外形が変化する物品１について、物品１の中心軸がＡ方向から見るとほぼ水平をなし、上下移動床２０の床面２１に対して傾斜方向とほぼ直角をなすように置くと、物品１は必ず中心軸に対して径の大きい側が先行して転がる（ｚ方向）。その他、高さ方向に対して外形が変化している物品１は、斜面を転がったり滑ったりするときに、転がり抵抗や滑り抵抗の小さい側や重心寄りで外力を受けたときに先行し易い側が先行するように、向きを変える。本発明では、上下移動床２０の上昇過程で、物品１の長手方向の特定の一方側が先頭側になって上下移動床２０から排出シュート３０へ転がり出ることを利用し、排出シュート３０に移送された物品１はその先頭進入側（先行側）を物品搬送方向の前方に向けて物品搬送方向に並行する整列姿勢を付与されるものとするものである。本発明に適応できる物品１の高さ方向の断面的な変化率は、形状によってはこの限りではないが、一例として、高さ1に対し0.16〜0.64、又は高さ1に対し−0.16〜−0.64である。これは高さ全域に渡っての変化でも良いし、部分的な変化でも良い。また、この範囲外の物品１でも、上述の斜面にて向きを変えれば、本発明にて扱うことができる。
【００４１】
図８、図９に示した各種形状の縦長物品１（ボトル）のうち、(4)〜(6)の物品１は底側を先頭側とする整列姿勢を付与される（但し、後述する方向変更板５０を用いることにより物品１の底面をベルトコンベヤ４０上に載置させることができる）。(3)の物品１は軽量側である口側を先頭側とする整列姿勢を付与される（但し、後述するフック６０を用いることにより物品１の底面をベルトコンベヤ４０上に載置させることができる、このとき、フック先端は棒状でなく、環状が良い）。
【００４２】
物品１をベルトコンベヤ４０に安定的に載置することが困難である際には、コンベヤ４0上に、物品１に適合した形状の袴やカップのような形状の物品保持具（不図示）を複数個備え、物品保持具に物品１を投入できるような最適位置に物品保持具が来るようにコンベヤ４０を間欠運転すると良い。これにより、物品１の排出時先頭側がどのような形状であっても（例えば尖っていたり、丸みを帯びていたりしても）整列することが可能となる。
【００４３】
図８、図９に示した各種形状の縦長物品１（ボトル）において、(1)、(2)の物品１はストレート状ボトルであって整列不可、(3)は口側を先行側とする整列姿勢を付与され、(4)〜(6)は外側を先行側とする整列姿勢を付与される。
【００４４】
図１０、図１１に示した各種形状の縦長物品１（キャップ、その類似形状のもの）において、(7)〜(11)はＹ側を先行側とする整列姿勢を付与され、(12)はＸ側を先行側とする整列姿勢を付与される。尚、(12)の物品１は、高さ方向のＸ側に比重の大きな部分１Ａを設けた、重心が高さ方向のＸ側に偏在されている例である。これらのすべての物品１は後述する方向変更板５０を用いることにより、物品１の底面をベルトコンベヤ４０上に載置することができる。物品１の天面と底面を逆姿勢に反転してベルトコンベヤ４０上に載置したいときには、後述するフック６０を用いる（但し、(12)の物品１に付いてはフック６０を使用できない）。
【００４５】
以下、物品整列搬送装置１００による縦長物品１の整列動作について説明する（図１２〜図１７）
(A)縦長物品１を底側拡径テーパ状ボトルとし、排出シュート３０の下流側にベルトコンベヤ４０を配置し、ベルトコンベヤ４０における排出シュート３０と反対側の側傍に、物品１を起立させる方向変更板５０を立設した物品整列搬送装置１００の例。
【００４６】
（整列工程１）（図１２（Ａ））
投入された物品１は、固定物品投入部１０の両側の中央寄せ部材１２で、床面１１上のほぼ中央へと寄せられる。物品１は長手方向を物品搬送方向と直角方向に揃えられる。
【００４７】
（整列工程２）（図１２（Ｂ））
物品１は固定物品投入部１０の床面１１上を転がり、又は滑り降り、固定物品投入部１０と排出シュート３０の間の上下移動床２０に落ち込む。物品１は上下移動床２０の両側の面状部材２２により床面２１上のほぼ中央に位置規制される。物品１は長手方向を物品搬送方向と直角方向に保たれる。
【００４８】
（整列工程３）（図１３（Ａ））
上下移動床２０が上昇し、物品１は上下移動床２０の床面２１の傾斜面２１Ａに沿って傾く。物品１が底側拡径テーパ状ボトルであるから、物品１の口側が下に傾き、底側が上に傾く。
【００４９】
（整列工程４）（図１３（Ｂ））
上下移動床２０が更に上昇し、物品１の底側が排出シュート３０の床面３１の入口端レベルよりも高位になると、物品１は上下移動床２０の床面２１上で滑りや転がりにより、先行し易い底側が先頭となるよう向きを変える。
【００５０】
（整列工程５）（図１４（Ａ））
上下移動床２０が更に上昇を続けると、物品１は更に向きを変え、物品１の底側を先頭側にして排出シュート３０の両側の方向規制部材３２の間の床面３１上に落ち込んでいく。物品１は排出シュート３０の両側の方向規制部材３２に挟まれ、底側を先頭側にし、長手方向を物品搬送方向と並行する方向に整列される。
【００５１】
（整列工程６）（図１４（Ｂ））
物品１は排出シュート３０の両側の方向規制部材３２の間の床面３１上に完全に落ち込み、底側を先頭側とする方向整列が完了する。
【００５２】
（整列工程７）（図１５（Ａ））
物品１は排出シュート３０の床面３１上を滑り落ち、ベルトコンベヤ４０の反対側に位置する方向変更板５０に衝突する。
【００５３】
（整列工程８）（図１５（Ｂ））
物品１は、方向変更板５０に衝突して向きを鉛直方向に変え、その底面をベルトコンベヤ４０上に待機する整列状態となる。ベルトコンベヤ４０を連続又は間欠運転して物品１を次工程へと移送する。
【００５４】
(B)縦長物品１を底側縮径テーパ状ボトルとし、排出シュート３０の下流側にベルトコンベヤ４０を配置し、ベルトコンベヤ４０における排出シュート３０と反対側の側傍に、物品１を反転させて起立させるフック６０を設置した物品整列搬送装置１００の例。
【００５５】
（整列工程１〜６）
物品整列搬送装置１００は、(A)の整列工程１〜６と同様に動作する。但し、物品１が(A)と異なり、底側縮径テーパ状ボトルであるから、物品１は固定物品投入部１０から上下移動床２０を経て排出シュート３０に移送されたとき、物品１の口側を先頭側とするように方向整列される。
【００５６】
（整列工程７）（図１６（Ａ））
物品１は排出シュート３０の床面３１上を滑り落ち、物品１の先頭側である口面が反転起立フック６０の先端部に衝突する。
【００５７】
（整列工程８）（図１６（Ｂ））
物品１の勢いによって、反転起立フック６０は物品１の口面を把持して押し上げられる。
【００５８】
（整列工程９）（図１７（Ａ））
反転起立フック６０は更に押し上げられ、物品１は排出シュート３０から離脱し、フック６０に引掛けられた物品１の先頭部が上になるように、物品１の底面が下降する。更にフック６０の自重等で物品１の先頭部は押し戻されながら、物品１は鉛直方向に向きを変える。フック６０の押し戻し力は、エアー圧力、ウエイトやバネ等で調整できる。
【００５９】
（整列工程１０）（図１７（Ｂ））
物品１はその底面が下方となるようにベルトコンベヤ４０上に整列する。ベルトコンベヤ４０を連続又は間欠運転して物品１を次工程へと移送する。
【００６０】
物品整列搬送装置１００は、固定物品投入部１０の上流に、物品１を間欠的に供給できるコンベヤ、又は間欠切り出し装置等の物品供給装置を配置できる。固定物品投入部１０に供給された物品１の上下移動床２０への投入方向は、物品１の長手方向が物品搬送方向と直角方向（上下移動床２０の床面２１の床幅ｂ3に直交する方向）であれば、物品１の固定物品投入部１０から上下移動床２０への投入は最も安定する（図１８（Ａ））。物品１の長手方向が物品搬送方向に対する直角方向からずれ50度程度以内（図１８（Ｂ）、（Ｃ））であれば、物品１は、上下移動床２０が下降しているときに、固定物品投入部１０と排出シュート３０に挟まれて規制され、物品１の長手方向が物品搬送方向と直角方向をなすように矯正され安定となる。
【００６１】
結果、物品１を直接把持したり、抑えつけたり、高速で動かしたりはせず、転がりや滑りの作用によって整列できるため、物品１には強い力や摩擦力が加わることが無く、傷つけたり、損傷させることがない。
【００６２】
図１９の物品整列搬送装置１００は、固定物品投入部１０が４個の中央寄せ部材１２により区画される３個の床面１１を有し、上下移動床２０が４個の面状部材２２により区画される３個の床面２１を有し、排出シュート３０が４個の方向規制部材３２により区画される３個の床面３１を有し、結果として３個の縦長物品１を３列同時並行で整列できる。
【００６３】
図２０の物品整列搬送装置１００は、固定物品投入部１０の上流に縦長物品１を間欠的に供給できる物品供給装置２００を配置した。
【００６４】
物品供給装置２００は、図２０に示す如く、架台２１１の一端側から他端側に向かう方向を物品供給方向とし、その一端側に入口シュート２１２を設け、入口シュート２１２の裏面に供給力を高めるためのバイブレータ２１３を装備してある。
【００６５】
物品供給装置２００は、架台２１１に設けた支持部材２１４により複数の固定床２２０を支持する。物品供給装置２００は、複数の固定床２２０の各個の床面２２１を互いに供給方向の下流側に向けて下り勾配（水平に対する角度θ：例えば5〜35度）をなすように配置している。このとき、各固定床２２０の床面２２１は、それ自体でも、供給方向の下流側に向けて下り勾配をなすように傾斜した斜面とされている。固定床２２０にバイブレータを装備し、供給力を高めても良い。
【００６６】
物品供給装置２００は、架台２１１に支持した昇降駆動装置２１５に左右のサイドガイド板２１６を連結し、架台２１１に支持したスライド軸２１７にサイドガイド板２１６に固定してあるスライド部２１８（不図示）をスライド自在に嵌合している。また、架台２１１とスライド部２１８の間には、衝撃緩和ダンパ（不図示）を介装している。左右のサイドガイド板２１６は、入口シュート２１２と固定床２２０の巾方向の両側に配置されるとともに、複数の移動床２３０をその間に挟んで備える。複数の移動床２３０の各個を各固定床２２０に対し供給方向の側傍（本実施例では上流側の側傍）に隣接配置する。結果、固定床２２０と移動床２３０は一定の間隔を介して供給方向に沿って交互に配置されるものになる。物品供給装置２００は、昇降駆動装置２１５により、サイドガイド板２１６及び移動床２３０の昇降動作を繰り返す（移動床２３０を昇降駆動装置２１５に直に連結し、サイドガイド板２１６は必ずしも昇降させる必要はない）。即ち、各移動床２３０を同時にそれらの床面２３１が隣接する固定床２２０の床面２２１に対する上位と下位に位置付ける昇降動作を繰り返す。
【００６７】
各移動床２３０の床面２３１は、上位において固定床２２０の床面２２１より上に突出し、下位において固定床２２０の床面２２１より下に没入する。
【００６８】
上位に位置付けられた各移動床２３０の床面２３１を互いに供給方向の下流側に向かい下り勾配（水平に対する角度θ：例えば5〜35度）をなすように配置する。このとき、各移動床２３０の床面２３１は、それ自体で、供給方向の下流側に向けて下り勾配をなすように傾斜した斜面とされている。
【００６９】
従って、物品供給装置２００にあっては、固定床２２０と移動床２３０が供給方向に沿って交互に隣接配置され、しかもそれらの床面２２１、２３１が互いに供給方向の下流側に向けて下り勾配をなすように配置されるものであり、縦長物品１の寸法形状や投入姿勢に関係なく、あらゆる縦長物品１を固定床２２０の床面２２１に乗せ、移動床２３０の床面２３１により突き上げ、概ね一定量ずつ排出できる。
【００７０】
尚、物品供給装置２００にあっては、複数の固定床２２０の各個の床面２２１を互いに供給方向の下流側に向けて水平をなすように配置し、或いは複数の移動床２３０の各個の床面２３１を互いに供給方向の下流側に向けて水平をなすように配置しても良い。
【００７１】
（上下移動床２０として上下移動床２０Ｂを用いた物品整列搬送装置１００）（図２１〜図４０）。
図２１〜図２４に示した物品整列搬送装置１００は、縦長物品１の長手方向の中央部を支持し、かつ該物品１を物品搬送方向に沿う下流に移動させる傾斜突起２３を床面２１の中央に起立させるとともに、縦長物品１の長手方向の両端部のそれぞれの位置を規制することで該物品１の中央部を上記傾斜突起２３に接触させる面状部材２２を床面２１の両側に起立させて上下動する上下移動床２０を有し、上下移動床２０の物品搬送方向に沿う上流に、縦長物品１の長手方向を物品搬送方向と直角方向に揃え、かつ物品搬送方向と直角方向の位置を規制する固定物品投入部１０を有し、上下移動床２０の物品搬送方向下流側に隣接して、排出シュート３０を有し、排出シュート３０は、縦長物品１をその長手方向における軽量側を先行させて排出する。
【００７２】
固定物品投入部１０は、縦長物品１の両端部のそれぞれを規制して縦長物品１の長手方向を物品搬送方向と直角方向揃え、かつ物品搬送方向と直角方向の位置を規制するための中央寄せ部材１２を、傾斜床面１１の両側に起立させて備える。床面１１は物品搬送方向に向けて水平に対する角度αの下り勾配をなし（図２４）、αの好適値は5〜50度、より好適値は7〜30度である。中央寄せ部材１２は、例えば、物品搬送方向視で上端に頂部を有する三角形となる上に凸の三角柱状をなし、両側中央寄せ部材１２の三角柱の頂部間隔ａ1の好適値は縦長物品1の高さｈの1.1〜1.7倍であり、両側中央寄せ部材１２の三角柱の底部間隔ａ2の好適値は縦長物品１の高さｈの0.7〜1.0倍である（図２３）。中央寄せ部材１２のその他の形状としては、単なる直方体や、物品１と接触する側が三角柱の如く傾斜した断面が台形状の四角柱などでも良いが、傾斜突起２３をうまく物品１に作用させ、物品１が所定の幅の中に収まるようにするには、物品１と接触する側が傾斜しているほうが好ましい（不図示）。
【００７３】
上下移動床２０は、固定物品投入部１０から投入された縦長物品１の長手方向の中央部を支持し、かつ該物品１を物品搬送方向に沿う下流に移動させる傾斜突起２３を床面２１の中央に起立させて備えるとともに、物品１の両端部のそれぞれを位置規制して該物品１の中央部を上記傾斜突起２３に接触させる面状部材２２を床面２１の両側に起立させて備え、エアシリンダ、又はサーボモータやステッピングモータのモータからなる上下駆動部２４を備える。上下駆動部２４は、床面２１を固定物品投入部１０の床面１１、排出シュート３０の床面３１より下位に位置付ける下降端（図２１）と、床面２１を固定物品投入部１０の床面１１、排出シュート３０の床面３１より上位に位置付ける上昇端（図２２）の間で、上下移動床２０を上下動する。上下移動床２０は、縦長物品１の中央部を傾斜突起２３の稜線２３Ａにて支持する上昇の過程で後述する如く、縦長物品１の長手方向の特定の軽量側を先頭側にして、該物品１を排出シュート３０へ移送する。傾斜突起２３は、例えば上流側の三角部が大きく、下流側の三角部が小さい上に凸の三角柱状（三角錐台状）であり、中実体でも、板材で形成された中空体でも良い。物品１と接する稜線２３Ａは、僅かに丸める等の加工を行ない、物品１を傷つけない程度の状態とすることが好ましい。傾斜突起２３の稜線２３Ａは物品搬送方向に向けて水平に対する角度βの下り勾配をなし（図２４）、βの好適値は5〜50度、より好適値は7〜30度である。面状部材２２は例えば上端に頂部を有する三角形を断面とする上に凸の三角柱状であり、物品１と接する面が形成されていれば中実体でも、中空体でも良い。両側面状部材２２の三角柱の頂部間隔ｂ1の好適値は縦長物品１の高さｈの1.1〜1.7倍である（図２３、図２５）。両側面状部材２２の三角柱の底部間隔ｂ2の好適値は縦長物品１の高さｈの0.7〜1.0倍である（図２３、図２５）。面状部材２２のその他の形状としては、単なる直方体や、物品１と接触する側が三角柱の如く傾斜した、断面が台形状の四角柱などでも良いが、傾斜突起２３をうまく物品１の中央部に作用させるには、物品１と接触する側が傾斜しているほうが好ましい（不図示）。上下移動床２０を挟む固定物品投入部１０と排出シュート３０の設置間隔ｂ4の好適値は物品１の最小幅ｗの0.6〜2.0倍であり、傾斜突起２３の稜線２３Ａの傾斜に沿う突起長さｂ3の好適値はｂ4の0.5〜0.95倍である（図２３、図２５）。
【００７４】
図２６は上下移動床２０の変形例を示すものである。
図２６（Ａ）の上下移動床２０において、傾斜突起２３は加工が容易な、下流に行くほど高さが低くなる台形板状であり、物品１と接する面２３Ａは物品１を流れ（搬送方向）と直角方向に傾けるため、その幅は小さい方が良く、好ましくは5mm以下である。また、物品１と接する面２３Ａを尖らせたり丸味を持たせることも効果的である。また、面状部材２２は上端に頂部を有する三角形を断面とする上に凸の三角柱状であり、物品１と接する面が形成されていれば中実体でも、中空体でも良い。
【００７５】
図２６（Ｂ）の上下移動床２０において、傾斜突起２３は上流側の三角部が大きく、下流側の三角部が小さい上端に頂部を有する三角形を断面とする上に凸の三角柱状であり、中実体でも、板材で形成された中空体でも良い。物品１と接する稜線２３Ａは、僅かに丸める等の加工を行ない、物品１を傷つけない程度の状態とすることが好ましい。また、面状部材２２は特に大型化した上に凸の三角柱状であり、物品１の幅ｗ（図２８〜図３０参照）が大きいものに対する適用範囲を高めたものである。
【００７６】
排出シュート３０は、単なる板状部材や、雨樋状部材などとしても良い（不図示）。より物品１の搬送を安定させるには、上下移動床２０から移送された縦長物品１の両側部のそれぞれを規制して物品１の長手方向を物品搬送方向と並行方向において位置を規制し、その結果方向を揃えるための方向（位置）規制部材を、傾斜床面３１の搬送方向の両側に起立させて備えると良い。床面３１は物品搬送方向に向けて水平に対する角度δの下り勾配をなし（図２４）、δの好適値は5〜50度、より好適値は7〜30度である。方向規制部材３２は、図２３に示す如く、物品搬送方向において上下移動床２０に臨む物品第１規制面３２Ａと、床面３１の両側で上向きに拡開する物品第２規制面３２Ｂを備え、上下移動床２０から移送される物品１の入側に物品第１規制面３２Ａと物品第２規制面３２Ｂの交線部３２Ｃを備える。方向規制部材３２は物品搬送方向に向かい水平に対する角度γをなし（図２４）、γの好適値は−20〜30度、より好適値は−10〜20度である。勾配は物品搬送方向に向かい上り又は下り勾配となる。γのプラスの値は上り勾配であり、γのマイナスの値は下り勾配である。物品第１規制面３２Ａと物品第２規制面３２Ｂの互いの交線部３２Ｃは、曲面でつなぐか、緩い角度で交差するようにし、0度が最鋭角、180度が平行とすると、好適角度は120〜175度であり、これによって上下移動床２０から移送されてくる物品１の向きをスムースに物品搬送方向と並行する方向に変えることができる（図２３）。両側方向規制部材３２の物品第２規制面３２Ｂの頂部間隔ｃ1の好適値は物品１の高さｈの0.5〜1.2倍であり、両側方向規制部材３２の物品第２規制面３２Ｂの底部間隔ｃ2の好適値は物品１の高さｈの0.7〜1.5倍である（図２３）。但し、方向規制部材３２は単なる角棒材、丸棒材からなるものでも良い。
【００７７】
以下、上下移動床２０が上昇の過程で、縦長物品１の長手方向の特定の軽量側を先頭側にして該物品１を上下移動床２０から排出シュート３０へ移送する作用について説明する。
【００７８】
図２７は上下移動床２０を下流側（排出シュート３０の側）から見た正面図であり、図２７（Ａ）の縦長物品１はキャップの例、図２７（Ｂ）の縦長物品１は底が軽いボトルの例、図２７（Ｃ）の縦長物品１は底が重いボトルの例である。上下移動床２０にあっては、床面２１の左右に面状部材２２を設け、中央部に傾斜突起２３を設けてあり、物品１の重い側（重心のある側）が稜線２３Ａの斜め下に、軽量側（重心のない側）が稜線２３Ａの斜め上を向く。上下移動床２０が上昇すると、物品１の斜め上を向いた方（軽量側）が、下流構造物である排出シュート３０の妨げから解放され、傾斜突起２３の稜線２３の上を転がったり滑ったりし、軽量側（重心のない側）を先頭側にして排出される。
【００７９】
図２８、図２９に示した各種形状の縦長物品１（ボトル）中、(1)〜(3)の物品１は軽量側である底側を先頭側とする整列姿勢を付与される（但し、後述する方向変更板５０を用いることにより物品１の底面をベルトコンベヤ４０上に載置させることができる）。(4)〜(6)の物品１は軽量側である口側を先頭側とする整列姿勢を付与される（但し、後述するフック６０を用いることにより物品１の底面をベルトコンベヤ４０上に載置させることができる、このとき、フック先端は棒状でなく、環状が良い）。
【００８０】
物品１をベルトコンベヤ４０に安定的に載置することが困難である際には、コンベヤ４０上に、物品１に適合した形状の袴やカップのような形状の物品保持具を複数個備え、物品保持具に物品１を投入できるような最適位置に物品保持具が来るようにコンベヤ４０を間欠運転すると良い（不図示）。これにより、物品１の排出時先頭側がどのような形状であっても（例えば尖っていたり、丸みを帯びていたりしても）整列することが可能となる。
【００８１】
図３０、図３１に示した各種形状の縦長物品１（キャップ、その類似形状のもの）において、(1)〜(7)の物品１は軽量側である底面側を先頭側とする整列姿勢を付与され、(8)の物品１は比重大の部分の反対側を先頭側とする整列姿勢を付与される。これらのすべての物品１は後述する方向変更板５０を用いることにより、物品１の底面をべルトコンベヤ４０上に載置することができる。物品１の天面と底面を逆姿勢に反転してボルトコンベヤ４０上に載置したいときには、後述するフック６０を用いる（但し、(8)の物品１に付いてはフック６０を使用できない）。
【００８２】
以下、物品整列搬送装置１００による縦長物品１の整列動作について説明する（図３２〜図３７）。
(A)縦長物品１を底側が軽いキャップとし、排出シュート３０の下流側にベルトコンベヤ４０を配置し、ベルトコンベヤ４０における排出シュート３０と反対側の側傍に、物品１を起立させる方向変更板５０を立設した物品整列搬送装置１００の例。
【００８３】
（整列工程１）（図３２（Ａ））
投入された物品１は、固定物品投入部１０の両側の中央寄せ部材１２で、床面１１上のほぼ中央へと寄せられる。物品１は長手方向を物品搬送方向と直角方向において位置規制される。
【００８４】
（整列工程２）（図３２（Ｂ））
物品１は固定物品投入部１０の床面１１上を転がり、又は滑り降り、固定物品投入部１０と排出シュート３０の間の上下移動床２０に落ち込む。物品１は長手方向を物品搬送方向と直角方向に保たれる。
【００８５】
（整列工程３）（図３３（Ａ））
上下移動床２０が上昇し、傾斜突起２３によって物品１の中央部が押し上げられるため、物品１は重心のある重い側が下になるように傾く。この例では物品１の天面側が下に、底側が上になる。
【００８６】
（整列工程４）（図３３（Ｂ））
上下移動床２０が更に上昇し、排出シュート３０の最上端よりも物品１の上になった側が高くなると、傾斜突起２３上を物品１が滑り又は転がり、物品１の重心のない側が先頭となるように向きを変える。この例では物品１の底側が先頭になる。
【００８７】
（整列工程５）（図３４（Ａ））
上下移動床２０が更に上昇を続けると、物品１は更に向きを変え、物品１の底側を先頭側にして排出シュート３０の両側の方向規制部材３２の間の床面３１上に落ち込んでいく。物品１は排出シュート３０の両側の方向規制部材３２に挟まれ、底側を先頭側にし、長手方向を物品搬送方向と並行する方向に整列される。
【００８８】
（整列工程６）（図３４（Ｂ））
物品１は排出シュート３０の両側の方向規制部材３２の間の床面３１上に完全に落ち込み、底側を先頭側とする方向整列が完了する。
【００８９】
（整列工程７）（図３５（Ａ））
物品１は排出シュート３０の床面３１上を滑り落ち、ベルトコンベヤ４０の反対側に位置する方向変更板５０に衝突する。
【００９０】
（整列工程８）（図３５（Ｂ））
物品１は、方向変更板５０に衝突して向きを鉛直方向に変え、その底面をベルトコンベヤ４０上に載置する整列状態となる。ベルトコンベヤ４０を連続又は間欠運転して物品１を次工程へと移送する。
【００９１】
(B)縦長物品１を底側が軽いキャップとし、排出シュート３０の下流側にベルトコンベヤ４０を配置し、ベルトコンベヤ４０における排出シュート３０と反対側の側傍に、物品１を反転させて起立させるフック６０を設置した物品整列搬送装置１００の例。
【００９２】
（整列工程１〜６）
物品整列搬送装置１００は、(A)の整列工程１〜６と同様に動作する。物品１は固定物品投入部１０から上下移動床２０を経て排出シュート３０に移送されたとき、物品１の底側を先頭側とするように方向整列される。
【００９３】
（整列工程７）（図３６（Ａ））
物品１は排出シュート３０の床面３１上を滑り落ち、物品１の先頭側である底面が反転起立フック６０の先端部に衝突する。
【００９４】
（整列工程８）（図３６（Ｂ））
物品１の勢いによって、反転起立フック６０は物品１の底面を把持して押し上げられる。
【００９５】
（整列工程９）（図３７（Ａ））
反転起立フック６０は更に押し上げられ、物品１は排出シュート３０から離脱し、フック６０に引掛けられた物品１の先頭部が上になるように、物品１の天面が下降する。更にフック６０の自重等で物品１の先頭部は押し戻されながら、物品１は鉛直方向に向きを変える。フック６０の押し戻し力は、エアー圧力、ウエイトやバネ等で調整できる。
【００９６】
（整列工程１０）（図３７（Ｂ））
物品１はその天面が下方となるようにベルトコンベヤ４０上に整列する。ベルトコンベヤ４０を連続又は間欠運転して物品１を次工程へと移送する。
【００９７】
物品整列搬送装置１００は、固定物品投入部１０の上流に、物品１を間欠的に供給できる、コンベヤ又は切欠装置等の物品供給装置を配置できる。固定物品投入部１０に供給された物品１の上下移動床２０への投入方向は、物品１の長手方向が物品搬送方向と直角方向（上下移動床２０の床面２１の床幅ｂ3に直交する方向）であれば、物品１の固定物品投入部１０から上下移動床２０への投入は最も安定する（図３８（Ａ））。物品１の長手方向が物品搬送方向に対する直角方向からずれ60度程度以内（図３８（Ｂ）、（Ｃ））であれば、物品１は、上下移動床２０が下降しているときに、固定物品投入部１０と排出シュート３０に挟まれて規制され、物品１の長手方向が物品搬送方向と直角方向をなすように矯正され安定となる。
【００９８】
結果として、物品１を直接把持したり、抑えつけたり、高速で動かしたりはせず、転がりや滑りの作用によって整列できるため、物品１には強い力や摩擦力が加わることがなく、傷つけたり、損傷させることがない。
【００９９】
図３９の物品整列搬送装置１００は、固定物品投入部１０が４個の中央寄せ部材１２により区画される３個の床面２１、傾斜突起２３を有し、上下移動床２０が４個の面状部材２２により区画される３個の床面２１を有し、排出シュート３０が４個の方向規制部材３２により区画される３個の床面３１を有し、結果として３個の縦長物品１を３列同時並行で整列できる。
【０１００】
図４０の物品整列搬送装置１００は、固定物品投入部１０の上流に縦長物品１を間欠的に供給できる前述したと同様の物品供給装置２００を配置した。
【０１０１】
更に、この実施例の変形として、固定物品投入部１０の上流に配置した物品供給装置２００の途中工程にて、固定床２２０に替えて複数の中央寄せ部材１２を備える固定物品投入部１０を設置し、その下流に隣接する移動床２３０に替えて複数の面状部材２２を備える上下移動床２０を設置する。このような交換設置を１箇所又は２箇所以上の複数箇所に行なう。これによって、物品供給装置２００の途中工程でも一部の物品を物品搬送方向と並行方向に位置規制し搬送することで、特に大量に縦長物品1の処理が必要な場合、一層整列を容易に行なうことが可能となる（不図示）。
【０１０２】
（上下移動床２０として上下移動床２０Ｃを用いた物品整列搬送装置１００）（図４１〜図５８）。
図４１〜図４４に示した物品整列搬送装置１００は、縦長物品１の細首部を備える長手方向の一端部と、太径部を備える長手方向の他端部のそれぞれを支持する面状部材２２を両側に起立させた床面２１を備える上下動する上下移動床２０を有する。物品搬送方向視で段差面２２Ａと幅規制部２２ＢとでＬ字断面状をなす面状部材２２を両側に起立させた床面２１は、物品１を物品搬送方向下流に移動させる傾斜面を面状部材２２の段差面２２Ａに備える。物品整列搬送装置１００は、上下移動床２０の物品搬送方向上流に、縦長物品１の長手方向を物品搬送方向と直角方向において位置規制する固定物品投入部１０を有し、上下移動床２０の物品搬送方向に沿う下流に、排出シュート３０を有し、排出シュート３０は、縦長物品１をその長手方向における一方側を先行させて排出する。
【０１０３】
固定物品投入部１０は、縦長物品１の両端部のそれぞれに接して縦長物品１の長手方向を物品搬送方向と直角方向において位置規制するための中央寄せ部材１２を、傾斜床面１１の両側に起立させて備える。床面１１は物品搬送方向に向けて水平に対する角度αの下り勾配をなし（図４４）、αの好適値は5〜50度、より好適値は7〜30度である。中央寄せ部材１２は物品搬送方向視で、例えば上端に頂部を有する三角形を断面とする上に凸の三角柱状をなし、両側中央寄せ部材１２の三角柱の頂部間隔ａ1の好適値は縦長物品1の高さｈの1.1〜1.7倍であり、両側中央寄せ部材１２の三角柱の底部間隔ａ2の好適値は縦長物品１の高さｈの0.7〜1.0倍である（図４３）。中央寄せ部材１２のその他の形状としては、単なる直方体や、物品１と接触する側が三角柱の如く傾斜した断面が台形状の四角柱などでも良いが、傾斜突起２３をうまく物品１の中央部に作用させるには、物品１と接触する側が傾斜しているほうが好ましい（不図示）。
【０１０４】
上下移動床２０は、固定物品投入部１０から投入された縦長物品１の一端細首部と他端太径部のそれぞれを支持する、物品搬送方向視でＬ字断面状をなす面状部材２２を床面２１の両側に起立させて備え、かつ物品１を物品搬送方向に沿う下流に移動させる下り勾配の傾斜面を面状部材２２の段差面２２Ａに備えるとともに、エアシリンダ、又はサーボモータやステッピングモータのモータからなる上下駆動部２４を備える。上下駆動部２４は、床面２１を固定物品投入部１０の床面１１、排出シュート３０の床面３１より下位に位置付ける下降端（図４１）と、床面２１を固定物品投入部１０の床面１１、排出シュート３０の床面３１より上位に位置付ける上昇端（図４２）の間で、上下移動床２０を上下動する。上下移動床２０は、縦長物品１の一端細首部と他端太径部のそれぞれを両側の面状部材２２の傾斜段差面２２Ａのそれぞれに支持する上昇の過程で後述する如く、縦長物品１の長手方向の太径側を先頭側にして、該物品１を排出シュート３０へ移送する。面状部材２２の段差面２２Ａは物品搬送方向に向かい水平に対する角度βの下り勾配をなし（図４４）、βの好適値は5〜40度、より好適値は7〜25度である。両側面状部材２２の段差面２２Ａから上方に立ち上がる垂直壁間隔ｂ1の好適値は物品１の全高ｈ1（図４６）の1.1〜1.3倍が好ましい。ｂ1がこの範囲より小さいとボトルが両側の面状部材２２の間で詰まることがある。ｂ1がこの範囲より大きいとボトル首部が面状部材２２の段差面２２Ａに乗らない。面状部材２２の段差面２２Ａの段深さｂ2は、物品1の首部高さｈ2（図４６）の0.5〜1.5倍が好ましい。ｂ2がこの範囲より小さいとボトル首部が面状部材２２の段差面２２Ａに乗らないことがある。ｂ2がこの範囲より大きいとボトル肩部が面状部材２２の段差面２２Ａに乗り上げ、ボトルの太径底部が後述する如くに斜め上方を向かない。ボトル外径をｄ1、首部直径をｄ2とするとき（図４６、ボトル形状が円形でないときｄ1はボトル外径の最小径とする）、面状部材２２の段差面２２Ａの段高さｂ3は、（ｄ1−ｄ2）／2の1.2〜2.0倍が好ましい。ｂ3がこの範囲より小さいとボトル肩部が床面２１に接し、十分にボトルの太径底部が斜め上方を向かない。ｂ3がこの範囲より大きいと上下移動床２０の上下ストロークを大きくする必要があり、その移動時間が無駄時間となって生産性が低下する。面状部材２２の段差面２２Ａの斜面に沿う段幅ｂ4は、ｄ1の1.05〜1.8倍が好ましい。ｂ4がこの範囲より小さいとボトルが上下移動床２０の下降時に落ち込まず、首部が面状部材２２の段差面２２Ａに乗らない。ｂ4がこの範囲より大きいと装置サイズが無駄に大型化してしまう。尚、このｂ4の制約条件においては、ボトル形状が円形でないときは、ボトルの径が高さ方向に変化しているときには、ｄ1はボトル外径の最大径とする。上下移動床２０を挟む固定物品投入部１０と排出シュート３０の設置間隔ｂ5の好適値はｄ1の1.05〜2.0倍である。
【０１０５】
図４８は上下移動床２０の変形例を示すものである。上下移動床２０は、図４８（Ａ）に示す如く、床面２１の構成部分と、面状部材２２の幅規制部２２B（垂直壁）の構成部分と、面状部材２２の段差面２２Ａの構成部分を別部材化しても良く、これによれば、ｂ2の寸法測定が容易になり、加工も容易になる。上下移動床２０は、図４８（Ｂ）に示す如く、面状部材２２の段差面２２Ａを角棒材でなく丸棒材にて構成し、段差面２２Ａの曲面で物品１と接するようにしても良い。上下移動床２０は、図４８（Ｃ）に示す如く、面状部材２２の段差面２２Ａを垂直壁の構成部分から離した板材で構成し、段差面２２Ａの狭い面で物品１と接触するようにしても良い。上下移動床２０は、図４８（Ｄ）に示す如く、面状部材２２の段差面２２Ａを三角柱材にて形成し、段差面２２Ａと物品１が三角柱の稜線で線接触するように構成しても良い。
【０１０６】
排出シュート３０は、単なる板状部材や、雨樋状部材などとしても良い（不図示）。より物品の搬送を安定させるには、排出シュート３０は、上下移動床２０から移送された縦長物品１の両側部のそれぞれを規制して物品１の長手方向を物品搬送方向と並行方向において位置規制するための方向規制部材３２を、傾斜床面３１の両側に起立させて備える。床面３１は物品搬送方向に向かい水平に対する角度δの下り勾配をなし（図４４）、δの好適値は5〜50度、より好適値は7〜30度である。方向規制部材３２は、図４３に示す如く、物品搬送方向において上下移動床２０に臨む物品第１規制面３２Ａと、床面３１の両側で上向きに拡開する物品第２規制面３２Ｂを備え、上下移動床２０から移送される物品１の入側に物品第１規制面３２Ａと物品第２規制面３２Ｂの交線部３２Ｃを備える。方向規制部材３２は物品搬送方向に向かい水平に対する角度γをなし（図４４）、γの好適値は−20〜30度、より好適値は−10〜20度である。勾配は物品搬送方向に向かい上り又は下り勾配となる。γのプラスの値は上り勾配であり、γのマイナスの値は下り勾配である。物品第１規制面３２Ａと物品第２規制面３２Ｂの互いの交線部３２Ｃは、曲面でつなぐか、緩い角度で交差するようにし、0度が最鋭角、180度が平行とすると、好適角度は120〜175度であり、これによって上下移動床２０から移送されてくる物品１の向きをスムースに物品搬送方向と並行する方向に変えることができる（図４３）。両側方向規制部材３２の物品第２規制面３２Ｂの頂部間隔ｃ1の好適値は物品１の高さｈの0.5〜1.2倍であり、両側方向規制部材３２の物品第２規制面３２Ｂの底部間隔ｃ2の好適値は物品１の高さｈの0.7〜1.5倍である（図４３）。但し、方向規制部材３２は単なる角棒材、丸棒材からなるものでも良い。
【０１０７】
以下、上下移動床２０が上昇の過程で、縦長物品１の長手方向の特定の太径側を先頭側にして該物品１を上下移動床２０から排出シュート３０へ移送する作用について説明する。
【０１０８】
上下移動床２０は床面２１の両側にＬ字断面状の面状部材２２を設けた。縦長物品１の一端細首部が一方の面状部材２２の段差面２２Ａに乗り、該物品１の他端太径底部が他方の面状部材２２の段差面２２Ａに乗り、縦長物品１の太径底部が斜め上向きになる（図４７）。上下移動床２０が上昇すると、物品１の斜め上を向いている太径底部が先ず下流構造物である排出シュート３０から解放され、排出シュート３０の側に転がり又は滑り、物品１は太径底部を先頭側に整列されて排出される。物品１は太径底部を先頭にするため、後述する方向変更板５０等でこれをベルトコンベヤ４０上にて容易に起立させることができる。
【０１０９】
物品１がベルトコンベヤ４０に安定的に載置することが困難である際には、コンベヤ４０上に、物品１に適合した形状の袴やカップのような形状のものを複数個備え、ここに物品１を投入できるような最適位置に袴が来るようにコンベヤ４０を間欠運転すると良い（不図示）。これにより、物品１の排出時先頭側がどのような形状であっても（例えば尖っていたり、丸みを帯びていたりしても）整列することが可能となる。
【０１１０】
上下移動床２０により整列できる整列対象物品（ボトル）は、ｄ2が、ｄ1の0.9倍以下、好ましくは0.8倍以下であるものとする。ｄ2がこれを超えると物品１の首部が面状部材２２の段差面２２Ａに乗っても、ボトルの太径底部が斜め上を向く角度が小さ過ぎて、ボトルの太径底部からの排出が困難になる。尚、ボトル形状が円形でないとき、ｄ1はボトル外径の最小径とする。
【０１１１】
図４９、図５０に示した各種形状の縦長物品１（ボトル）において、(1)〜(6)の全ての物品１が図５１に示す如くに、太径底部側を先頭側とする整列姿勢を付与される。(2)の楕円形ボトルでは、面状部材２２の段差面２２Ａに物品１の長径部と短径部のいずれが乗っても、太径底部側が斜め上向きになる。(6)の扁平ボトルでは、物品１の扁平面が面状部材２２の段差面２２Ａに乗った物品１の横向き状態で安定する。
【０１１２】
以下、物品整列搬送装置１００による縦長物品１の整列動作について説明する（図５２〜図５５）
(A)縦長物品１を一端側に細首部と、他端側に太径底部を備えるボトルとし、排出シュート３０の下流側にベルトコンベヤ４０を配置し、ベルトコンベヤ４０における排出シュート３０と反対側の側傍に、物品１を起立させる方向変更板５０を立設した物品整列搬送装置１００の例。
【０１１３】
（整列工程１）（図５２（Ａ））
投入された物品１は、固定物品投入部１０の中央寄せ部材１１で、床面１１上のほぼ中央へと寄せられる。物品１は長手方向を物品搬送方向と直角方向に位置規制される。
【０１１４】
（整列工程２）（図５２（Ｂ））
物品１は固定物品投入部１０の床面１１上を転がり、又は滑り降り、固定物品投入部１０と排出シュート３０の間の上下移動床２０に落ち込む。物品１は上下移動床２０の両側面状部材２２によりほぼ中央に保たれる。物品１は長手方向を物品搬送方向と直角方向に保たれる。
【０１１５】
（整列工程３）（図５３（Ａ））
上下移動床２０が上昇する。物品１は一端細首部と他端太径底部のそれぞれが上側面状部材２２の段差面２２Ａのそれぞれに乗り、太径底部が上向きの状態になる。
【０１１６】
（整列工程４）（図５３（Ｂ））
上下移動床２０が更に上昇し、物品１の上向きになった太径底部が排出シュート３０の最上端よりも高くなると、物品１は上下移動床２０上での滑りや転がりによって底面側が先頭となるよう向きを変える。
【０１１７】
（整列工程５）（図５４（Ａ））
上下移動床２０が更に上昇を続けると、物品１は更に向きを変え、物品１の底側を先頭側にして排出シュート３０の両側の方向規制部材３２の間の床面３１上に落ち込んでいく。物品１は排出シュート３０の両側の方向規制部材３２に挟まれ、底側を先頭側にし、長手方向を物品搬送方向と並行する方向に整列される。
【０１１８】
（整列工程６）（図５４（Ｂ））
物品１は排出シュート３０の両側の方向規制部材３２の間の床面３１上に完全に落ち込み、底側を先頭側とする方向整列が完了する。
【０１１９】
（整列工程７）（図５５（Ａ））
物品１は排出シュート３０の床面３１上を滑り落ち、ベルトコンベヤ４０の反対側に位置する方向変更板５０に衝突する。
【０１２０】
（整列工程８）（図５５（Ｂ））
物品１は、方向変更板５０に衝突して向きを鉛直方向に変え、その底面をベルトコンベヤ４０上に待機する整列状態となる。ベルトコンベヤ４０を連続又は間欠運転して物品１を次工程へと移送する。
【０１２１】
結果として、物品１を直接把持したり、抑えつけたり、高速で動かしたりはせず、転がりや滑りの作用によって整列できるため、物品１には強い力や摩擦力が加わることがなく、傷つけたり、損傷させることがない。
【０１２２】
物品整列搬送装置１００は、固定物品投入部１０の上流に、物品１を間欠的に供給できる、コンベヤ又は切欠装置等の物品供給装置を配置できる。固定物品投入部１０に供給された物品１の上下移動床２０への投入方向は、物品１の長手方向が物品搬送方向と直角方向（上下移動床２０の床面２１の床幅ｂ3に直交する方向）であれば、物品１の固定物品投入部１０から上下移動床２０への投入は最も安定する（図５６（Ａ））。物品１の長手方向が物品搬送方向に対する直角方向からずれ50度程度以内（図５６（Ｂ）、（Ｃ））であれば、物品１は、上下移動床２０が下降しているときに、固定物品投入部１０と排出シュート３０に挟まれて規制され、物品１の長手方向が物品搬送方向と直角方向をなすように矯正され安定となる。
【０１２３】
図５７の物品整列搬送装置１００は、固定物品投入部１０が４個の中央寄せ部材１２により区画される３個の床面１１を有し、上下移動床２０が６個の面状部材２２（尚、両端の２個のＬ字状面状部材２２に挟まれる中央の４個の（Ｌ字状）面状部材２２のうち、相隣る２個の（Ｌ字状）面状部材２２は互いに背中合せで一体とされて見かけ上は逆Ｔ字断面状をなし）により区画される３組の段差面２２Ａを有し、排出シュート３０が４個の方向規制部材３２により区画される３個の床面３１を有し、結果として３個の縦長物品１を３列同時並行で整列できる。
【０１２４】
図５８の物品整列搬送装置１００は、固定物品投入部１０の上流に縦長物品１を前述したと同様の物品供給装置２００を配置した。
【０１２５】
更に、この実施例の変形として、固定物品投入部１０の上流に配置した物品供給装置２００の途中工程にて、固定床２２０に替えて複数の中央寄せ部材１２を備える固定物品投入部１０を設置し、その下流に隣接する移動床２３０に替えて複数の面状部材２２を備える上下移動床２０を設置する。このような交換設置を１箇所又は２箇所以上の複数箇所に行なう。これによって、物品供給装置２００の途中工程でも一部の物品を物品搬送方向と並行方向に位置規制し搬送することで、特に大量に縦長物品1の処理が必要な場合、一層整列を容易に行なうことが可能となる（不図示）。
【０１２６】
また、更にこの実施例の変形として、固定物品投入部１０の上流に配置した物品供給装置２００の途中工程にて、固定床２２０に替えて複数の中央寄せ部材１２を備える固定物品投入部１０を設置し、その下流に隣接する移動床２３０に替えて複数のＬ字断面状または逆Ｔ字断面状部材２２を備える上下移動床２０を設置する。このような交換設置を１箇所または２箇所以上の複数箇所に行なう。これによって、物品供給装置２００の途中工程でも一部の物品を物品搬送方向と並行方向に位置規制し搬送することで、特に大量に縦長物品1の処理が必要な場合、一層整列を容易に行なうことが可能となる（不図示）。
【０１２７】
本実施例によれば以下の作用効果を奏する。
(a)固定物品投入部１０により長手方向を物品搬送方向と直角方向に揃えられ、かつ物品搬送方向と直角方向において位置規制された縦長物品１が上下移動床２０の両側面状部材２２の間に投入されると、縦長物品１は上下移動床２０の上昇の過程で長手方向の特定の一方側を先頭側にして排出シュート３０へ移送されて整列され、その整列姿勢で排出シュート３０から排出される。これにより、単純でコンパクトな物品整列搬送装置１００により、縦長物品１を所望の方向に整列させることができる。
【０１２８】
(b)上下移動床２０として、両側の面状部材２２を物品搬送方向視で垂直壁状面状部材２２とし、かつ縦長物品１を物品搬送方向に沿う下流に移動させる傾斜面２１Ａを床面２１に備えるもの、両側の面状部材２２に挟まれる床面２１上に設けられて縦長物品１の長手方向の中央部を支持し、かつ該物品を物品搬送方向に沿う下流に移動させる傾斜突起２３を備えるもの、両側の面状部材２２を物品搬送方向視でＬ字断面状面状部材２２とし、かつ縦長物品１を物品搬送方向に沿う下流に移動させる傾斜面２１Ａを該床面２１部材のＬ字断面の段差面２２Ａに備えるもののいずれかを追加又は交換し、選択して用いることができる。
【０１２９】
両側の面状部材２２を垂直壁状とし、かつ縦長物品１を物品搬送方向に沿う下流に移動させる傾斜面２１Ａを床面２１に備える上下移動床２０では、縦長物品１が上下移動床２０の傾斜床面２１で先行して転がり易い側又は滑り易い側を先頭側にして排出シュート３０へ移送されて整列される。
【０１３０】
両側の面状部材２２に挟まれる床面２１上に設けられる傾斜突起２３を備える上下移動床２０では、縦長物品１が長手方向における軽量側を先頭側にして排出シュート３０へ移送されて整列される。
【０１３１】
両側の面状部材２２をＬ字断面状とする上下移動床２０では、縦長物品１が長手方向における太径側を先頭側にして排出シュート３０へ移送されて整列される。
【０１３２】
(c)固定物品投入部１０が縦長物品１の中央寄せ部材１２を備えることにより、確実に、縦長物品１の長手方向を物品搬送方向と直角方向において位置規制できる。
【０１３３】
(d)排出シュート３０が縦長物品１の方向規制部材３２を備えることにより、確実に、縦長物品１の長手方向を物品搬送方向と並行方向に位置規制できる。
【０１３４】
(e)複数の中央寄せ部材１２を備える固定物品投入部１０と、複数の面状部材２２を備える上下移動床２０と、複数の方向規制部材３２を備える排出シュート３０とを有する。これにより、複数の縦長物品１を並行して整列させることができる。
【０１３５】
(f)固定物品投入部１０の上流に配置される物品供給装置２００が、複数の固定床２２０の各個を搬送方向に沿って並置し、複数の移動床２３０の各個を各固定床２２０に対し搬送方向の側傍に隣接配置するとともに、各移動床２２０を同時にそれらの床面２２１が隣接する固定床２３０の床面２３１に対する上位と下位に位置付ける昇降動作を繰り返すことで物品１を下流に供給する。従って、縦長物品１の寸法形状や搬入姿勢に関係なく、該物品１を概ね一定量ずつ固定物品投入部１０に供給できる。
【０１３６】
(g)排出シュート３０から排出される縦長物品１は、方向変更板５０に衝突して起立され、正立状態になる。
【０１３７】
(h)排出シュート３０から排出される縦長物品１は、フック６０により先頭側を引き掛け上げられて起立され、正立状態になる。
【０１３８】
(i)長手方向に沿って断面積が変化する縦長物品１を整列対象物品とすることができる。
【０１３９】
(j)ボトル又はキャップを整列対象物品とすることができる。
【図面の簡単な説明】
【０１４０】
【図１】図１は物品整列搬送装置の上下移動床が下降した状態を示し、（Ａ）は斜視図、（Ｂ）は平面図、（Ｃ）は側面図である。
【図２】図２は物品整列搬送装置の上下移動床が上昇した状態を示し、（Ａ）は斜視図、（Ｂ）は平面図、（Ｃ）は側面図である。
【図３】図３は物品整列搬送装置を詳細に示す平面図である。
【図４】図４は物品整列搬送装置を詳細に示す側面図である。
【図５】図５は上下移動床を示す斜視図である。
【図６】図６は上下移動床と物品（ボトル）を示し、（Ａ）はストレート状ボトルを示す正面図、（Ｂ）は底側縮径テーパ状ボトルを示す正面図、（Ｃ）は底側拡径テーパ状ボトルを示す正面図である。
【図７】図７は物品（ボトル）の転がり状態を示し、（Ａ）は側面図、（Ｂ）は平面図である。
【図８】図８はボトルの例を示す模式図である。
【図９】図９はボトルの例を示す模式図である。
【図１０】図１０は物品の例を示す模式図である。
【図１１】図１１は物品の例を示す模式図である。
【図１２】図１２は物品整列搬送装置の整列動作を示し、（Ａ）は整列工程１を示す模式図、（Ｂ）は整列工程２を示す模式図である。
【図１３】図１３は物品整列搬送装置の整列動作を示し、（Ａ）は整列工程３を示す模式図、（Ｂ）は整列工程４を示す模式図である。
【図１４】図１４は物品整列搬送装置の整列動作を示し、（Ａ）は整列工程５を示す模式図、（Ｂ）は整列工程６を示す模式図である。
【図１５】図１５は物品整列搬送装置の整列動作を示し、（Ａ）は整列工程７を示す模式図、（Ｂ）は整列工程８を示す模式図である。
【図１６】図１６は物品整列搬送装置の整列動作を示し、（Ａ）は整列工程７の他の例を示す模式図、（Ｂ）は整列工程８の他の例を示す模式図である。
【図１７】図１７は物品整列搬送装置の整列動作を示し、（Ａ）は整列工程９を示す模式図、（Ｂ）は整列工程１０を示す模式図である。
【図１８】図１８は物品の投入姿勢を示し、（Ａ）はずれなし姿勢を示す模式図、（Ｂ）は30度ずれ姿勢を示す模式図、（Ｃ）は50度ずれ姿勢を示す模式図である。
【図１９】図１９は複連式物品整列搬送装置を示す斜視図である。
【図２０】図２０は物品供給装置を備えた物品整列搬送装置を示す斜視図である。
【図２１】図２１は物品整列搬送装置の上下移動床が下降した状態を示し、（Ａ）は斜視図、（Ｂ）は平面図、（Ｃ）は側面図である。
【図２２】図２２は物品整列搬送装置の上下移動床が上昇した状態を示し、（Ａ）は斜視図、（Ｂ）は平面図、（Ｃ）は側面図である。
【図２３】図２３は物品整列搬送装置を詳細に示す平面図である。
【図２４】図２４は物品整列搬送装置を詳細に示す側面図である。
【図２５】図２５は上下移動床を示す斜視図である。
【図２６】図２６は上下移動床の変形例を示し、（Ａ）は変形例１を示す斜視図、（Ｂ）は変形例２を示す斜視図である。
【図２７】図２７は上下移動床と物品を示し、（Ａ）はキャップを示す正面図、（Ｂ）は底側軽量ボトルを示す正面図、（Ｃ）は底側重量ボトルを示す正面図である。
【図２８】図２８はボトルの例を示す模式図である。
【図２９】図２９はボトルの例を示す模式図である。
【図３０】図３０はキャップの例を示す模式図である。
【図３１】図３１はキャップの例を示す模式図である。
【図３２】図３２は物品整列搬送装置の整列動作を示し、（Ａ）は整列工程１を示す模式図、（Ｂ）は整列工程２を示す模式図である。
【図３３】図３３は物品整列搬送装置の整列動作を示し、（Ａ）は整列工程３を示す模式図、（Ｂ）は整列工程４を示す模式図である。
【図３４】図３４は物品整列搬送装置の整列動作を示し、（Ａ）は整列工程５を示す模式図、（Ｂ）は整列工程６を示す模式図である。
【図３５】図３５は物品整列搬送装置の整列動作を示し、（Ａ）は整列工程７を示す模式図、（Ｂ）は整列工程８を示す模式図である。
【図３６】図３６は物品整列搬送装置の整列動作を示し、（Ａ）は整列工程７の他の例を示す模式図、（Ｂ）は整列工程８の他の例を示す模式図である。
【図３７】図３７は物品整列搬送装置の整列動作を示し、（Ａ）は整列工程９を示す模式図、（Ｂ）は整列工程１０を示す模式図である。
【図３８】図３８は物品の投入姿勢を示し、（Ａ）はずれなし姿勢を示す模式図、（Ｂ）は40度ずれ姿勢を示す模式図、（Ｃ）は60度ずれ姿勢を示す模式図である。
【図３９】図３９は複連式物品整列搬送装置を示す斜視図である。
【図４０】図４０は物品供給装置を備えた物品整列搬送装置を示す斜視図である。
【図４１】図４１は物品整列搬送装置の上下移動床が下降した状態を示し、（Ａ）は斜視図、（Ｂ）は平面図、（Ｃ）は側面図である。
【図４２】図４２は物品整列搬送装置の上下移動床が上昇した状態を示し、（Ａ）は斜視図、（Ｂ）は平面図、（Ｃ）は側面図である。
【図４３】図４３は物品整列搬送装置を詳細に示す平面図である。
【図４４】図４４は物品整列搬送装置を詳細に示す側面図である。
【図４５】図４５は上下移動床を示す斜視図である。
【図４６】図４６は物品（ボトル）を示す模式図である。
【図４７】図４７は物品（ボトル）の転がり状態を示し、（Ａ）は例１を示す正面図、（Ｂ）は例２を示す正面図である。
【図４８】図４８は上下移動床の変形例を示し、（Ａ）は変形例１を示す斜視図、（Ｂ）は変形例２を示す斜視図、（Ｃ）は変形例３を示す斜視図、（Ｄ）は変形例４を示す斜視図である。
【図４９】図４９はボトルの例を示す模式図である。
【図５０】図５０はボトルの例を示す模式図である。
【図５１】図５１は上下移動床と物品（ボトル）を示す模式図である。
【図５２】図５２は物品整列搬送装置の整列動作を示し、（Ａ）は整列工程１を示す模式図、（Ｂ）は整列工程２を示す模式図である。
【図５３】図５３は物品整列搬送装置の整列動作を示し、（Ａ）は整列工程３を示す模式図、（Ｂ）は整列工程４を示す模式図である。
【図５４】図５４は物品整列搬送装置の整列動作を示し、（Ａ）は整列工程５を示す模式図、（Ｂ）は整列工程６を示す模式図である。
【図５５】図５５は物品整列搬送装置の整列動作を示し、（Ａ）は整列工程７を示す模式図、（Ｂ）は整列工程８を示す模式図である。
【図５６】図５６は物品の投入姿勢を示し、（Ａ）はずれなし姿勢を示す模式図、（Ｂ）は30度ずれ姿勢を示す模式図、（Ｃ）は50度ずれ姿勢を示す模式図である。
【図５７】図５７は複連式物品整列搬送装置を示す斜視図である。
【図５８】図５８は物品供給装置を備えた物品整列搬送装置を示す斜視図である。
【符号の説明】
【０１４１】
１  縦長物品
１０  固定物品投入部
１１  床面
１２  中央寄せ部材
２０、２０Ａ、２０Ｂ、２０Ｃ  上下移動床
２１  床面
２１Ａ  傾斜面
２２  面状部材
２２Ａ  傾斜段差面
２３  傾斜突起
３０  排出シュート
３１  床面
３２  方向規制部材
５０  方向変更板
６０  フック
１００  物品整列搬送装置
２００  物品供給装置
２２０  固定床
２２１  床面
２３０  移動床
２３１  床面
【図１】
0005209948.tif 000002
【図２】
0005209948.tif 000003
【図３】
0005209948.tif 000004
【図４】
0005209948.tif 000005
【図５】
0005209948.tif 000006
【図６】
0005209948.tif 000007
【図７】
0005209948.tif 000008
【図８】
0005209948.tif 000009
【図９】
0005209948.tif 000010
【図１０】
0005209948.tif 000011
【図１１】
0005209948.tif 000012
【図１２】
0005209948.tif 000013
【図１３】
0005209948.tif 000014
【図１４】
0005209948.tif 000015
【図１５】
0005209948.tif 000016
【図１６】
0005209948.tif 000017
【図１７】
0005209948.tif 000018
【図１８】
0005209948.tif 000019
【図１９】
0005209948.tif 000020
【図２０】
0005209948.tif 000021
【図２１】
0005209948.tif 000022
【図２２】
0005209948.tif 000023
【図２３】
0005209948.tif 000024
【図２４】
0005209948.tif 000025
【図２５】
0005209948.tif 000026
【図２６】
0005209948.tif 000027
【図２７】
0005209948.tif 000028
【図２８】
0005209948.tif 000029
【図２９】
0005209948.tif 000030
【図３０】
0005209948.tif 000031
【図３１】
0005209948.tif 000032
【図３２】
0005209948.tif 000033
【図３３】
0005209948.tif 000034
【図３４】
0005209948.tif 000035
【図３５】
0005209948.tif 000036
【図３６】
0005209948.tif 000037
【図３７】
0005209948.tif 000038
【図３８】
0005209948.tif 000039
【図３９】
0005209948.tif 000040
【図４０】
0005209948.tif 000041
【図４１】
0005209948.tif 000042
【図４２】
0005209948.tif 000043
【図４３】
0005209948.tif 000044
【図４４】
0005209948.tif 000045
【図４５】
0005209948.tif 000046
【図４６】
0005209948.tif 000047
【図４７】
0005209948.tif 000048
【図４８】
0005209948.tif 000049
【図４９】
0005209948.tif 000050
【図５０】
0005209948.tif 000051
【図５１】
0005209948.tif 000052
【図５２】
0005209948.tif 000053
【図５３】
0005209948.tif 000054
【図５４】
0005209948.tif 000055
【図５５】
0005209948.tif 000056
【図５６】
0005209948.tif 000057
【図５７】
0005209948.tif 000058
【図５８】
0005209948.tif 000059